【事件の表示】
平成１０年特許願第１４２６５４号「カラー複写機」拒絶査定不服審判事件〔平成１１年１２月１０日出願公開、特開平１１−３３８２１５〕について、次のとおり審決する。
【結　論】
　本件審判の請求は、成り立たない。
【理　由】
１．手続の経緯・本願発明
　本願は、平成１０年５月２５日の出願であって、その請求項１に係る発明（以下、「本願発明」という。）は、平成１６年９月６日付けで補正された明細書の特許請求の範囲の請求項１に記載された事項により特定される次のとおりのものであると認める。
　「【請求項１】カラーコピーの部数と白黒コピーの部数が入力され、入力された部数に応じてカラーコピーと白黒コピーとを自動的に切り替え、所定のカラー原稿のカラーコピーと白黒コピーとを入力された部数だけ行うカラー複写機において、カラーコピーの部数と白黒コピーの部数の一方を先に、他方を後に入力され、一方の部数が入力された時点で、カラーコピーの部数と白黒コピーの部数の和がカラーコピーの部数と白黒コピーの部数の和の上限値になるように、入力し得る他方の部数に上限を設けることを特徴とするカラー複写機。」
　
２．引用例
　これに対して、原査定の拒絶の理由に引用された、本願の出願前に頒布された刊行物である、特開昭６０−１３３４７１号公報（以下、「引用例１」という。）には、図面とともに次の事項が記載されている。
　
（１ａ）「原稿を所定の露光操作位置へ搬送する手段と、上記搬送手段により搬送される原稿を露光走査し該原稿の画像に基づいて像形成する手段と、同一原稿に対して異なる複数通りの像形成条件を設定する手段と、上記設定手段により設定された複数通りの像形成条件を記憶する手段と、上記記憶手段より読出した像形成条件に従って上記像形成手段を制御する手段とを有し、上記搬送手段により繰り返し搬送される同一原稿の画像に基づいて異なる像形成を行なうことを特徴とする像形成装置。」（特許請求の範囲）
　
（１ｂ）「従来複写装置は一つのオリジナルに対し一回の複写枚数の設定により所定枚数だけの複写を行なうか、又は一回のカラーモードの設定により単色、三色等所望のカラー複写を行なう程度の機能しかなく、同一オリジナルから異なる紙サイズへの複写、異なるカラーモードでの複写、もしくは紙サイズ、カラーモードに応じて異なる枚数の複写、更には異なるオリジナルに応じて異なる紙サイズカラーモード、枚数の複写を行なう場合、オペレータが複写毎に紙サイズ等の複写モードを設定し直す面倒さがあった。本発明は・・・同一原稿の画像に基づく異なるモードの像形成をモード毎に設定し直すことなく実行でき、作業効率の向上が計れるものである。」（第１頁左欄下１行ないし第２頁左上欄第５行）
　
（１ｃ）「本発明は同一オリジナルから上記の如き異なる複写モードで次々自動的に複写を行なう像形成装置の提供にあり、・・・他の目的は、同一もしくは異なるオリジナルから異なる複写モードで次々に自動的に複写を行ない再びそのモードの組合せで次々に複写を複数回くり返す像形成装置の提供にあり、・・・又他の目的は、同一もしくは異なるオリジナルから色モードの組合せの異なる複写を行なわしめるカラー複写可能な像形成装置の提供にあり、・・・又、他の目的は同一のオリジナルから異なる複写モードで次々に自動的に複写を行なうとともにオリジナルを自動的に交換して、第１のオリジナルに於ける複写モードと同じ組合せで複写を行ない、そしてコピー紙をその複写モード毎に分類させる像形成装置の提供にある。」（第２頁右上欄第１行ないし左下欄第９行）
　
（１ｄ）「原稿台１の移動とともに露光ランプ２の光で画面を走査し、忠実な色再現（三色混合により）の場合、まず青のフイルタ４により色分解して感光ドラム８上の感光体に光像照射し、予め帯電器６により前帯電した電荷を光像と除電気７とにより除電して静電潜像を感光体に形成する。そしてこの潜像をイエローの現像器１７により可視化して可視像を転写ドラム９に巻かれた複写紙に転写する。複写紙９は選択されたカセット１６から給紙ローラ１５により例えばＡ４サイズのものが給紙される。次にフイルタ４を緑に替えて同じ原画を再び走査し、上記と同様にして感光体に静電潜像を形成する。マゼンタの現像器１８によりこの潜像を可視化し可視像を上記複写紙に転写して先のイエローの像に重ね合せる。次にフイルタ４を赤に替えかつシアンの現像器１９を作動し、上記と同様にしてシアンの可視像を形成し、上記複写紙の二色像にこの可視像を重ねて三色重ね像を形成する」よう動作する複写機。（第２頁左下欄第１２行ないし右下欄第１０行、第１図）
　
（１ｅ）複写機の操作部は、フイルタと現像器の任意の組合せが選択可能であり、イエロー、マゼンタ、シアン又はブラックの現像器を動作させるスイッチ及び２色又はフルカラーに対応した複数の現像器を動作させるスイッチを有したマトリックススイッチ（Ｋ１）、コピー枚数とコピー組数を設定するためのテンキー（Ｋ２）、複写用紙のサイズを設定するためのスイッチ群（Ｋ５）、何部複写（くり返し）を行なうかを設定するためのスイッチ（Ｋ７、ＳＥＴキー）、オリジナルの交換が必要な時にこれを設定するためのスイッチ（Ｋ９）、スイッチＫ１、Ｋ２、Ｋ５、Ｋ７及びＫ９により設定したデータを記憶回路に記憶させるためのスイッチ（Ｋ６、ＥＮＴキー）、複写機の動作を一時停止させるためのスイッチ（Ｋ１０）、スイッチＫ１、Ｋ２、Ｋ５、Ｋ７、Ｋ９により設定されたデータをキャンセルするためのスイッチ（Ｋ１１）、前記各スイッチにより設定された何種類かのデータが、ＥＮＴスイッチ（Ｋ６）により記憶回路に転送記録された後押すことにより、設定された順に記憶回路から設定内容を読み出して複写作業を開始するためのコピー開始スイッチ（Ｋ１２）を有すること。（第２頁右下欄下６行ないし第３頁左下欄下５行、第２図）
　
（１ｆ）「一般に複写作業を行なう場合に、必要な色の選択、必要枚数の選択、複写紙の大きさの選択を行なうものである。本発明は、以上の様な設定を複数組、予め記憶回路に記憶させ、これを順次読み出して、複写作業を行なう」（第３頁右下欄第８行ないし第１３行）
　
（１ｇ）「Ｋ１は、Ｃｏｌｏｒ　ＳＥＬＥＣＴキーで第２図の２１種類のキーを任意に３つまで選択できる・・・Ｋ２は複写枚数設定キースイッチで、キーで選択された数字がエンコーダＥＮＣ２により２進４桁にコード化されてＲＧＳ４に入る・・・以上の設定データをメモリＲＡＭに記憶させるためにＥＮＴキー６を使用する。・・・ＲＡＭでは、ＥＮＴ信号により一行に一種類の（１コピーモード）複写作業に必要な入力データを記憶させる。・・・Ｘ１〜Ｘ５は・・・色選択の三色目・・・Ｘ６〜Ｘ１０には・・・色選択の二色目・・・Ｘ１１〜Ｘ１５には・・・色選択の一色目、Ｘ１６〜Ｘ１９には・・・枚数の下位桁、Ｘ２０〜Ｘ２２には・・・枚数の上位桁・・・を記憶させる。・・・更にＥＮＴ入力後継続して複写作業する次のコピーモード内容を、上述と同様にしてＥＮＴ入力後キー入力し再びＥＮＴ入力によってＲＡＭの次の行に記憶する。」（第３頁右下欄下７行ないし第５頁左下欄第７行、第２図）
　
（１ｈ）「ＳＥＴは、以上の各コピーモードの組合せを簡単に複数回行なわしめる為のものである」（第７頁右上欄第６行ないし第９行）
　
（１ｉ）「グリップ７１の加え込み解放は枚数カウントアップ信号と、前述ＣＨＡＮＧＥ信号のアンド条件によって行なわれる。従って再び同じオリジナルからサイズ等の異なる別の複写モードでコピーができる。」（第１０頁左上欄第９行ないし第１２行）
　
（１ｊ）複写機に設けられるソータに関して、「ソータを設けたもので、本発明はＲＡＭからのＳＥＴ信号とこのソータとにより複数組コピーを分けることができる」こと。（第１２頁左上欄下３行ないし下１行）
　
（１ｋ）複写機に設けられるソータは、「予めエレベータ２１０は上昇していて全てのタナ２０２はカム１０８の上側にのっている。コピー紙が本体から排出されベルト１６２で送られ、紙検出器１０６、１０７（ランプと受光素子）で紙検出するとエレベータが一段ダウンし一番下のタナがカム上からおちる。従ってそのタナにコピー紙が格納される。次のコピー紙を１０６、１０７で検出すると再びエレベーターが下がりそのコピー紙を格納する。一組のコピー終了（ＣＴＵ信号で）するとソレノイド１０５が作動しカム１０８を逃がしてその後エレベータ２１０を上昇させる。スイッチ２１０で頂点を検出すると２１０の上昇を止め再び同じ数のコピーをさせ、そしてそれを格納させ、そしてそれをくり返し、ＲＡＭに記憶させたＳＥＴ部数に達すると（第６（ａ）図のゲートＧ４０の信号で）全てのコピー動作をとめる」ように駆動すること。（第１２頁左下欄下３行ないし右上欄下２行）
　
　これらの記載によると、引用例１には、
　「フイルタと現像器の任意の組合せが選択可能であって、イエロー、マゼンタ、シアン又はブラックの現像器を動作させるスイッチ及び２色又はフルカラーに対応した複数の現像器を動作させるスイッチを有したマトリックススイッチ（Ｋ１）、及び、コピー枚数とコピー組数を設定するためのテンキー（Ｋ２）を有する操作部を有し、スイッチＫ１によりコピー色の選択、スイッチＫ２により複写枚数の設定が行われた、１種類の（１コピーモード）複写作業に必要な入力データをＥＮＴ信号によりＲＡＭに記憶させ、さらにＥＮＴ入力後継続して複写作業する次のコピーモード内容を、上記スイッチＫ１、スイッチＫ２を有する操作部により設定し、ＥＮＴ入力によってＲＡＭの次の行に記憶させるようなすことにより、同一オリジナルから異なる複写モードで次々自動的に複写を行い得るようなされた複写機。」の発明（以下、「引用例１発明」という。）が記載されていると認めることができる。
　
　同じく原査定の拒絶の理由に引用された、本願の出願前に頒布された刊行物である特開平６−２８２１４１号公報（以下、「引用例２」という。）には、図面とともに次の事項が記載されている。
　
（２ａ）「【請求項１】所定数のソータビン、コピー枚数を選択する手段、ソート／ノンソートモード選択手段および割り込み手段を有するソータ付き複写機において、割り込み手段によって割り込みがなされるとき、その割り込み前の複写状態を記憶する割り込み状態記憶手段と、その割り込み前にソートモードが選択されており且つその割り込みにおいてソートモードが選択されたとき、前記割り込み状態記憶手段に記憶されているその割り込み前に選択されていたコピー枚数、その割り込みにおいて選択されたコピー枚数および前記ソータビンの数に基づいて、その割り込みにおけるソートモードを許可するか否かを決定するためのソートモード許可決定手段と、該ソートモード許可決定手段によってソートモードが許可されるとき、前記所定数のソータビンのうち、その割り込み前のソートモードに対して割り当てられていた以外のソータビンを、その割り込み時ソートモードに対して割り当てるようにするソータ制御手段とを備えることを特徴とするソータ付き複写機。
【請求項２】前記ソートモード許可決定手段は、前記割り込む前に選択されたコピー枚数と前記割り込み後に選択されたコピー枚数との和が、前記ソータビンの数以下の場合には、割り込み後のソートモードを許可する請求項１記載のソータ付き複写機。
【請求項３】前記ソートモード許可決定手段は、前記割り込む前に選択されたコピー枚数と前記割り込み後に選択されたコピー枚数との和が前記ソータビンの数を越えるときには、前記割り込み後に選択されたコピー枚数を自動的に変更して前記和が前記ソータビンの数に等しくなるようにする請求項１記載のソータ付き複写機。」（【特許請求の範囲】）
　
（２ｂ）「【発明が解決しようとする課題】・・・割り込み前にソートモードが選択されていた場合には、割り込み後のソートモードの選択を無条件にて禁止してしまっている。このような方式では、ソートモードでコピーしたい人は、前の人のコピーが終了するのを待たなくてはならず、操作性上問題がある。それだからといって、単純に、割り込む前の状態にかかわらず、ソートモードを有効にするのでは、割り込む前のコピーと混同してしまい、動作上の問題が発生してきてしまう。」（【０００４】）
　
（２ｃ）「割り込み前のコピー枚数と割り込み後のコピー枚数との合計が、ソータ機構５０が有するソータビン数より大きいときには、主制御部２０を介して、割り込み後にコピー枚数選択キー１２によって設定されたコピー枚数を、ソータ機構５０の有するソータビン数から割り込み前のコピー枚数を差し引いた数に等しい枚数へと、自動的に変更して、割り込み後のソートモードでの複写をコピー枚数を少なくした状態で可能とする。」（【００２２】）
　
３．対比
　本願発明と引用例１発明とを対比する。
　引用例１発明の複写機は、複数の色に対応した現像器を有するのであるから、引用例１発明の「複写機」は、本願発明の「カラー複写機」に相当するといえる。
　また、引用例１発明にあっては、コピーモードの設定を行うための複写機の操作部には、イエロー、マゼンタ、シアン又はブラックの現像器を動作させるスイッチ及び２色又はフルカラーに対応した複数の現像器を動作させるスイッチを有したマトリックススイッチ（Ｋ１）、及び、複写枚数の設定を行うためのスイッチＫ２が設けられ、それらスイッチＫ１及びＫ２を用いることにより、１種類の（１コピーモード）複写作業に必要な入力データを設定し、そのデータをＲＡＭに記憶させた後、スイッチＫ１及びＫ２を用いることにより次のコピーモードの内容を設定し、その内容をＲＡＭに記憶させることにより、同一オリジナルから異なる複写モードで次々自動的に複写を行い得るようなされているのであるから、引用例１発明の複写機が、１つのコピーモードとして、所定のカラー原稿に対し、スイッチＫ１をイエロー、マゼンタ、シアンの現像器並びに２色又はフルカラーに対応した複数の現像器を動作させるよう、すなわちカラーコピーを行うよう設定するとともに、スイッチＫ２により複写枚数の設定がなされた入力データをＲＡＭへ記録をさせた後に、次のコピーモードとして、所定のカラー原稿に対し、スイッチＫ１によりブラックの現像器のみを動作させるよう、すなわち白黒コピーを行うよう設定するとともに、スイッチＫ２により複写枚数の設定がなされた入力データをＲＡＭに記憶させ、２つのコピーモードを自動的に切り替えて動作させる機能を有していることは明らかである。
　そして、引用例１発明の「コピー枚数」の設定及びＲＡＭへの記憶を行う工程が、本願発明の「部数」を「入力」する工程に相当することは明らかである。
　
　してみると、本願発明と引用例１発明とは、
　「カラーコピーの部数と白黒コピーの部数が入力され、入力された部数に応じてカラーコピーと白黒コピーとを自動的に切り替え、所定のカラー原稿のカラーコピーと白黒コピーとを入力された部数だけ行うカラー複写機であって、カラーコピーの部数と白黒コピーの部数は、一方を先に、他方を後に入力されるカラー複写機。」である点で一致し、以下の点で相違する。
　
　相違点：本願発明では、カラーコピーの部数と白黒コピーの部数のいずれか一方の部数が入力された時点で、カラーコピーの部数と白黒コピーの部数の和がカラーコピーの部数と白黒コピーの部数の和の上限値になるように、入力し得る他方の部数に上限が設けられるのに対し、引用例１発明では、複写機にそのような手段が設けられているか不明である点。
　
４．判断
　以下、上記相違点について検討する。
　本願明細書の発明の詳細な説明には、入力し得るコピー部数に上限を設けることに関して、「部数設定の上限に制限が加えられる場合は、一方のコピーモードでの部数を設定すると、他方のコピーモードでの部数を設定するときに、合計の部数が上限を超える設定をする事ができないように制御される。」（【００１１】）と記載され、その具体例として、「このカラー複写機をソート（仕分け）モードで使用する時には、例えば２０部を超える設定をする事ができないようになっており、この場合にカラーコピーを５部と設定すれば、白黒コピーは１５部を超える設定をする事ができない。【００１２】 そして、このカラー複写機に装着されるソーターのビン数が、上記部数設定の上限（ここでは２０部）に対応しており、ソーター装着時には、ソーターをこのようなソートモードで使用するのが効果的であるので、このソーター機能が設定されると、カラー複写機側において自動的にソートモードを選択するようになっている。」（【００１１】ないし【００１２】）と記載されている。これらの記載によると本願発明における「カラーコピーの部数と白黒コピーの部数の和の上限値」とは、具体的には、ソーターのビン数を超えない値を意味するものと解すことができる。
　一方、引用例２に記載される「ソートモード許可決定手段」は、割り込む前に選択されたコピー枚数と割り込み後に選択されたコピー枚数の和が、ソーターのビン数以下の場合には、割り込み後のソートモードを許可する一方、割り込む前に選択されたコピー枚数と割り込み後に選択されたコピー枚数との和がソーターのビン数を越えるときには、割り込み後に選択されたコピー枚数を自動的に変更して、割り込む前と割り込み後のコピー枚数の和がソーターのビン数に等しくなるように制御する手段であるから（摘記事項（２ａ））、当該「ソートモード許可決定手段」は、「割り込み時ソートモードにおいて入力し得るコピー枚数に対し、割り込む前のコピー部数と割り込み後のコピー部数の和が、ソーターのビン数を超えない値となるように上限を設ける手段であるということができる。
　そして、引用例１発明においては、コピーモードは、「１コピーモード」と「次のコピーモード」の複数組からなり、当該「次のコピーモード」は、引用例２に記載される「割り込み時ソートモード」と同様に、そのコピーモードとは別の他のコピーモード（引用例１発明の「１コピーモード」、引用例２記載の「割り込み前のソートモード」）の内容が設定された後で、コピー部数等の内容が設定されるものである。また、引用例１には、引用例１発明の複写機に複数組のコピーを分けるためのソーターを設けることが記載されるところ（摘記事項（１ｊ）及び（１ｋ））、複写機にソーターを設けソートモードを選択する際し、コピー部数はソーターのビン数を超えない値に制限することを要することは、当該技術分野において周知の課題に過ぎない（特開昭５８−１８２６５１号公報特許請求の範囲、第２頁右下欄下４行ないし第３頁右上欄第１１行等、特開昭６０−９３４６０号公報特許請求の範囲、第２頁左下欄下３行ないし第３頁左上欄下５行等、特開昭６０−２０９７４６号公報特許請求の範囲等の記載を参照）。そして、引用例１発明の「次のコピーモード」と引用例２に記載される「割り込み時ソートモード」とは、他のコピーモードとの間でソーターを共有する点においても共通するのであるから、引用例１発明の「次のコピーモード」に対し、引用例２に記載される「割り込み時ソートモード」のコピー部数に上限を設ける技術を適用し、引用例１発明の「次のコピーモード」におけるコピー部数に、「次のコピーモード」より先に内容が設定される「１コピーモード」のコピー部数に応じて上限値を設けることにより、引用例２の「割り込み前のソートモード」のコピー部数と「割り込み時ソートモード」のコピー部数とをあわせたコピー部数と同様に、引用例１発明の「１コピーモード」のコピー部数と「次のコピーモード」のコピー部数とをあわせたコピー部数にあっても、そのコピー部数をソーターのビン数を超えない値に設定することが可能であることは、当業者にとって当然に予測し得たことである。
　そうすると、引用例１発明の複写機に、「１コピーモード」のコピー部数が入力された時点で、「１コピーモード」のコピー部数と「次のコピーモード」のコピー部数の和が、ソーターのビン数を超えない値となるように、「次のコピーモード」の入力し得るコピー部数に上限を設ける機能を具備させ、当該複写機を、「第１のコピーモード」及び「次のコピーモード」として、「カラーコピー」及び「白黒コピー」が選択された際に、「カラーコピーの部数」と「白黒コピーの部数」のうちいずれか一方の部数が入力された時点で、「カラーコピーの部数」と「白黒コピーの部数」の和がソーターのビン数を超えない値、すなわち、本願発明でいうところの「カラーコピーの部数と白黒コピーの部数の和の上限値」となるように、入力し得る他方の部数に上限を設けることは、当業者にとって容易になし得た程度のことである。
　
　そして、本願発明の効果も、引用例１及び引用例２の記載から当業者が予
測できる範囲のものであり、格別顕著なものではない。
　
５．むすび
　したがって、本願発明は、引用例１に記載された発明、及び引用例２に記載された発明に基いて、当業者が容易に発明をすることができたものであるから、特許法第２９条第２項の規定により特許を受けることができないものである。
　よって、結論のとおり審決する。